(57)【要約】【課題】窓ガラスを割られたり、扉を取り外されたりした場合であっても、窃盗犯が建物の中に侵入できないように、窓や扉等の建物の開口部の内側に取り付けられるようにした防犯効果が高く、しかも取付作業が容易な面格子を提供することを課題とする。【解決手段】建物の開口部７に設けられる伸縮自在の面格子１であって、該面格子１の伸縮方向の両端部には、建物の開口部７の建物内側面２２に固定する第１取付面１２と、開口部７の内周面８に接する第２取付面１１とを有する取付部材１０ａ，１０ｂを備えるものとした。【選択図】  図１
2004257047.tif 000002
【特許請求の範囲】
【請求項１】
建物の開口部に設けられる伸縮自在の面格子であって、該面格子の伸縮方向の両端部には、建物の開口部の建物内側面に固定する第１取付面と、前記開口部の内周面に接する第２取付面とを有する取付部材を備えていることを特徴とする面格子。
【請求項２】
前記面格子の主たる構成部材である格子部材には、同一平面上に複数の長尺体が所定間隔を保って配置されており、前記長尺体の一部には面格子の伸縮時の最大長さを決定する停止部材を有することを特徴とする請求項１に記載の面格子。
【請求項３】
前記格子部材は、前記複数の長尺体の外側端部に設けた前記取付部材と、前記複数の長尺体の内側端部に設けた前記停止部材とを有する単位枠体を構成し、該単位枠体を２個使用し、一方の単位枠体の長尺体と他方の単位枠体の長尺体とが互い違いに並列配置されるようにして組み合わせて一組の面格子とし、該面格子を最大に延ばした状態で前記停止部材同士が当接するようにしたことを特徴とする請求項２に記載の面格子。
【請求項４】
前記長尺体は帯状の板材であって、前記停止部材には前記板材の横断面が挿通する挿通孔を有し、一方の単位枠体の挿通孔を他方の単位枠体の板材が進退することにより、面格子が伸縮自在となるようにしたことを特徴とする請求項３に記載の面格子。
【請求項５】
前記板材の平面部は建物の開口部の内周面と平行な向きとなるように配置されていることを請求項４に記載の面格子。
【請求項６】
請求項１乃至５のいずれか一つ記載の面格子を備えた建物の窓又は扉構造。
【請求項７】
所定の間隔を保って複数本配置される長尺体と、該長尺体の外側端部に固定した建物の開口部に取り付けるための取付部材と、前記長尺体の内側端部に固定した停止部材とを有する格子部材を２個組み合わせて構成した伸縮自在の面格子の製造方法であって、前記停止部材に前記長尺体の横断面が挿通する挿通孔を所定間隔を保って形成する穿孔工程と、該穿孔工程により挿通孔を形成した停止部材に前記長尺体を所定の間隔を保って固定して櫛状体を製作する櫛状体製作工程と、前記櫛状体を２個使用して両者の長尺体の自由端部を向かい合わせて一方の長尺体を他方の停止部材の挿通孔に貫通させて両者を一体にする一体化工程と、該一体化工程により挿通孔を貫通した長尺体の自由端部に前記取付部材を固定する組み付け工程とにより、前記２個の格子部材が長尺体の長手方向に沿って互いに進退でき、かつ前記２個の格子部材が分離不能な状態で一体化するようにしたことを特徴とする面格子の製造方法。
【発明の詳細な説明】
【０００１】
【発明の属する技術分野】
この発明は、戸建て住宅及びマンション、アパート等の集合住宅の窓や扉等の開口部に設けられる面格子に関し、より詳しくは、防犯効果を高めるために開口部の内側に取り付けるようにした面格子と、その面格子を備えた窓又は扉構造及びその面格子の製造方法に関するものである。
【０００２】
【従来の技術】
従来、戸建て住宅や集合住宅の窓に取り付けられている面格子は、建物との調和やそれ自体の美観を重視したものであって、建物の外側に取り付けるアルミニウム製のもの（以下、外付けの面格子という。）がほとんどであった。
【０００３】
一方、戸建て住宅や集合住宅に侵入して、建物の内部から金銭や高価な品物等の財物を盗もうとする者（以下、窃盗犯という。）は、近年その手口が巧妙かつ荒手なものとなってきている。
【０００４】
たとえば、外付けの面格子の場合には、その取付金具が外部に露出しているため、窃盗犯が取付金具を固定しているねじをドライバを使って弛めて、面格子自体を建物から取り外した後、窓ガラスを割って建物の中に侵入する手口が多くなっている。
【０００５】
つまり、従来のような外付けの面格子の場合には、ドライバを使えば簡単に取り外すことができるので、窓ガラスを割って建物の中に入る時間が短いため、仮に防犯システムが整っている場合であっても、警備会社への通報があってから現場へ警備員が急行するまでには、窃盗犯が建物の中を物色し財物を盗み出すことができる状況にあった。
【０００６】
従来の面格子の中には、取付金具を建物の開口部の内周面に取付金具を設けたものもあったが（たとえば、特許文献１を参照。）、窓ガラスの外側にあるアルミニウム製の面格子を鉄梃棒を使って無理矢理建物から取り外されてしまうこともあり、防犯効果は十分なものではなかった。
【０００７】
【特許文献１】
特開平３−１３７３９１号公報（第２図）。
【０００８】
【発明が解決しようとする課題】
また、従来のアルミニウム製の外付けの面格子の場合には、建物の外側に取り付けるため、予め取り付ける窓の大きさに合わせて作られた既製品を使うか、大きめの面格子の縦格子と横格子とを現場で切断して、取り付ける窓の大きさに合わせて組立てて使うかの方法が採用されている。したがって、既製品の大きさを間違えた場合には取付作業ができず、面格子を切断、組立する場合には余分な現場作業が増えることとなりそのための作業時間を必要とするといった問題があった。
【０００９】
さらに、従来のアルミニウム製の外付けの面格子を２階以上の窓に取り付ける場合には、建物の外側に作業者の足場を必要とし、密集した土地に建てる戸建て住宅や集合住宅の場合には取付作業が難しいことがあった。
【００１０】
この発明は、以上のような事情に鑑み、窓ガラスを割られたり、扉を取り外されたりした場合であっても、窃盗犯が建物の中に侵入できないように、窓や扉等の建物の開口部の内側に取り付けられるようにした防犯効果が高く、しかも取付作業が容易な面格子を提供することを課題とする。
【００１１】
【課題を解決するための手段】
前記課題を解決するために、請求項１に係る発明は、建物の開口部に設けられる伸縮自在の面格子であって、該面格子の伸縮方向の両端部には、建物の開口部の建物内側面に固定する第１取付面と、前記開口部の内周面に接する第２取付面とを有する取付部材を備えていることを特徴としている。
【００１２】
請求項２に係る発明は、請求項１の構成に加えて、前記面格子の主たる構成部材である格子部材には、同一平面上に複数の長尺体が所定間隔を保って配置されており、前記長尺体の一部には面格子の伸縮時の最大長さを決定する停止部材を有することを特徴としている。
【００１３】
請求項３に係る発明は、請求項２に記載の構成に加えて、前記格子部材は、前記複数の長尺体の外側端部に設けた前記取付部材と、前記複数の長尺体の内側端部に設けた前記停止部材とを有する単位枠体を構成し、該単位枠体を２個使用し、一方の単位枠体の長尺体と他方の単位枠体の長尺体とが互い違いに並列配置されるようにして組み合わせて一組の面格子とし、該面格子を最大に延ばした状態で前記停止部材同士が当接するようにしたことを特徴としている。
【００１４】
請求項４に係る発明は、請求項３に記載の構成に加えて、前記長尺体は帯状の板材であって、前記停止部材には前記板材の横断面が挿通する挿通孔を有し、一方の単位枠体の挿通孔を他方の単位枠体の板材が進退することにより、面格子が伸縮自在となるようにしたことを特徴としている。
【００１５】
請求項５に係る発明は、請求項４に記載の構成に加えて、前記板材の平面部は建物の開口部の内周面と平行な向きとなるように配置されていることを特徴としている。
【００１６】
請求項６に係る発明は、請求項１乃至５のいずれか一つ記載の防犯用面格子を備えた建物の窓又は扉構造としたことを特徴としている。
【００１７】
請求項７に係る発明は、所定の間隔を保って複数本配置される長尺体と、該長尺体の外側端部に固定した建物の開口部に取り付けるための取付部材と、前記長尺体の内側端部に固定した停止部材とを有する格子部材を２個組み合わせて構成した伸縮自在の面格子の製造方法であって、前記停止部材に前記長尺体の横断面が挿通する挿通孔を所定間隔を保って形成する穿孔工程と、該穿孔工程により挿通孔を形成した停止部材に前記長尺体を所定の間隔を保って固定して櫛状体を製作する櫛状体製作工程と、前記櫛状体を２個使用して両者の長尺体の自由端部を向かい合わせて一方の長尺体を他方の停止部材の挿通孔に貫通させて両者を一体にする一体化工程と、該一体化工程により挿通孔を貫通した長尺体の自由端部に前記取付部材を固定する組み付け工程とにより、前記２個の格子部材が長尺体の長手方向に沿って互いに進退でき、かつ前記２個の格子部材が分離不能な状態で一体化するようにしたことを特徴としている。
【００１８】
【発明の実施の形態】
以下、この発明の実施の形態として、個々の格子の平面形状が矩形をした面格子について、添付図面に基づいて詳細に説明する。
【００１９】
図１は、この発明の実施の形態に係る面格子の平面図である。
【００２０】
図１に示した面格子１は、主たる構成部材である平面形状が矩形をした同じ大きさの格子部材（単位枠体）２を２個使用し、この２個の格子部材２ａ，２ｂを組み合わせて一組の面格子を組み立てたものであって、その全長の中程の寸法まで広げた状態を表している。
【００２１】
格子部材２ａ，２ｂには、同一平面上に同じ長さの複数の長尺体３ａ，３ｂが所定間隔を保って並列に配置されている。図示した長尺体３ａ，３ｂは帯状の板材としており、その内側端部（一方の端部）４ａ，４ｂには長尺体３ａ，３ｂである帯状の板材より僅かに大きな幅の帯状の板材である停止部材５ａ，５ｂが長尺体３ａ，３ｂと直交するように固定されている。帯状の板材の平面部６は建物の開口部７の内周面８と平行な向きとなるように配置されている。これにより、建物の開口部７に占める長尺体３ａ．３ｂの平面形状を小さくすることで建物の内部に十分な光が取り込めるようにすると共に、格子部材２ａ，２ｂの剛性を高め歪みが生じ難いものとしている。
【００２２】
長尺体３ａ，３ｂの外側端部（他方の端部）９には、停止部材５ａ，５ｂと平行に配置される取付部材１０ａ，１０ｂが固定されている。取付部材１０ａ，１０ｂは断面が略Ｌ字型をしており、停止部材５ａ，５ｂと向かい合う第２取付面１１と第２取付面１１と直交する第１取付面１２を有している。第１取付面１２には、取付部材１０ａ，１０ｂを建物の開口部７に固定するためのビス１３のねじ部が貫通するビス止め孔１４ａ，１４ｂが複数穿設されている。
【００２３】
停止部材５ａ，５ｂには、長尺体３ａ，３ｂが挿通できる挿通孔１５ａ，１５ｂが形成されており、一方の格子部材２ａの挿通孔１５ａに他方の格子部材２ｂの長尺体３ｂを挿通し、他方の格子部材２ｂの挿通孔１５ｂに一方の格子部材２ａの長尺体３ａを挿通することで、２個の格子部材２ａ，２ｂを一体化している。
【００２４】
つまり、２個の格子部材２ａ，２ｂを互いに遠ざけたり近づけたりすることで、一方の格子部材２ａの長尺体３ａが他方の格子部材２ｂの挿通孔１５ｂを進退し、他方の格子部材２ｂの長尺体３ｂが一方の格子部材２ａの挿通孔１５ａを進退することにより、面格子１が一方向に伸縮自在なものとなっている。
【００２５】
これにより、２個の格子部材２ａ，２ｂを遠ざけて、面格子１を最大に延ばした状態で各々の停止部材５ａ，５ｂ同士が当接することで、面格子１の最大長が実現される。
【００２６】
なお、図示した実施の形態では、一方の格子部材２ａの長尺体３ａと他方の格子部材２ｂの長尺体３ｂとが重なり合うにして面格子１の側辺部をほぼ面一なものとし、外観をすっきりしたものに仕上げている。しかし、これに限らず、図２に示したように、面格子１の側辺部が２個の格子部材２ａ，２ｂで段差を生じるようにしてもよい場合には、隣り合う長尺体３ａ，３ｂを等間隔に保つ配置としてもよい。
【００２７】
また、図示した実施の形態では、平面形状が矩形をした同じ大きさの格子部材２を２個使用し、この２個の格子部材２ａ，２ｂを組み合わせて一組の面格子１を組み立てたものとしている。しかし、これに限らず、図３に示したように、長尺体３ａ，３ｂを外管１６と外管１６の穴の断面形状より小さな外形をした断面形状を有する帯状の板材１７との組み合わせによる構成としてもよい。この場合には、外管１６の自由端部と帯状の板材１７の自由端部との間に、停止部材５ａ，５ｂを設けることで外管１６から帯状の板材１７が抜け出さないようにしておくとよい。
【００２８】
さらに、この発明は、図示した実施の形態に限らず、個々の格子の平面形状が菱形をした面格子の場合にも適用できるものである。つまり、右斜め格子材又は左斜め格子材のいずれか一方が前側となり、他方が後側になるように重ね合わせ、その交差部に回動軸を設けることで、いわゆるパンタグラフのように個々の格子の菱形の形状が縦長から横長に又は横長から縦長に変化することで面格子全体を伸縮自在としたものにも適用できる。
【００２９】
以下、この発明の実施の形態に係る面格子の製造方法について説明する。
【００３０】
図４は、この発明の実施の形態に係る面格子の組立前の状態を示した格子部材の斜視図である。
【００３１】
所定の間隔を保って複数本配置される帯状の板材である長尺体３ａ，３ｂの一端に固定される帯状の板材である停止部材５ａ，５ｂには、予め、長尺体３ａ，３ｂの横断面が挿通する挿通孔１５ａ，１５ｂを所定間隔を保って穿設しておく（穿孔工程）。
【００３２】
次に、挿通孔１５ａ，１５ｂが穿設されている停止部材５ａ，５ｂに、停止部材５ａ，５ｂと直交させて複数本の長尺体３ａ，３ｂを所定間隔を保って固定することで、櫛状をした櫛状体１８ａ，１８ｂを製作する（櫛状体製作工程）。櫛状体１８ａ，１８ｂは同じ形状のものを２個使用する。
【００３３】
次に、２個の櫛状体１８ａ，１８ｂの各々の長尺体３ａ，３ｂの内側端部４ａ，４ｂを向かい合わせて、一方の長尺体３ａを他方の停止部材５ｂの挿通孔１５ｂに貫通させ、他方の長尺体３ｂを一方の停止部材５ａの挿通孔１５ａに貫通させて両者を一体にする（一体化工程）。
【００３４】
次に、２個の櫛状体１８ａ，１８ｂの挿通孔１５ａ，１５ｂを貫通したそれぞれの長尺体３ａ，３ｂの内側端部４ａ，４ｂに、断面略Ｌ字形の取付部材１０ａ，１０ｂの一方の平面である第２取付面１１を対向させるようにして、停止部材５ａ，５ｂを固定する（組み付け工程）。
【００３５】
これにより、２個の格子部材２ａ，２ｂが長尺体３ａ，３ｂの長手方向に沿って互いに進退でき、かつ２個の格子部材２ａ，２ｂが分離不能な状態で一体化され一組の面格子１が完成する。
【００３６】
以下、この発明の実施の形態に係る面格子を建物の開口部に取り付ける方法について説明する。
【００３７】
面格子１を建物の開口部７に取り付ける前の状態では、面格子１の両端部に配置されている取付部材１０ａ，１０ｂを最も近づけて最小寸法になるようにする。このとき、一方の停止部材５ａが他方の取付部材１０ｂの第２取付面１１に当接することとなる。
【００３８】
これにより、現場へ運搬する際の面格子１の容積を最小とすることができるため、運送コストが低減される。
【００３９】
面格子１は、面格子１を取り付ける窓や扉等の建物の開口部７の大きさや縦横比に応じて、面格子１の伸縮方向を縦横いずれかに決定する。
【００４０】
例えば、図５に示したように、面格子１を横方向に伸縮する向きにして取り付ける場合には、まず、開口部７と面格子１との隙間１９、又は面格子１を複数使用する場合には面格子１と面格子１との隙間２０が、人の手が入らない程度の大きさになるように、予め、面格子１の大きさの選定すると共に、取り付け位置を決定する。
【００４１】
次に、定められた取り付け位置に従い、一方の格子部材２ａの取付部材１０ａの第１取付面１２ａを、建物の開口部７の内側に設けられている額縁２１の内側面（建物内側面）２２に宛うと共に、一方の格子部材２ａの取付部材１０ａの第２取付面１１ａを開口部７の内周面に当たる額縁２１の内周面８に宛うようにして、少なくとも第１取付面１２ａに設けたビス止め孔１４ａにビス１３を差し込んで額縁２１にビス１３をねじ込んで、一方の格子部材２ａを額縁２１の左右いずれかの枠部材に固定する。
【００４２】
次に、図６に示したように、他方の格子部材２ｂの取付部材１０ｂを外側に移動させるようにして、額縁２１の反対側の枠部材の位置まで持っていき、他方の格子部材２ｂの取付部材１０ｂの第１取付面１２を額縁２１の内側面（建物内側面）２２に宛うと共に、他方の格子部材２ｂの取付部材１０ｂの第２取付面１１ｂを開口部７の内周面に当たる額縁２１の内周面８に宛うようにして、少なくとも第１取付面１２ｂに設けたビス止め孔１４ｂにビス１３を差し込んで額縁２１にビス１３をねじ込んで、他方の格子部材２ｂを額縁２１の反対側の枠部材に固定する。
【００４３】
この発明の実施の形態に係る面格子１は、以上のような簡単な操作で建物の開口部７へ取り付けることができる構造であるから、一組の面格子１の大きさが人間の肩幅程度のものとすれば、一人の作業者で取付作業を行うことができる。そして、１つの開口部７に対して２組の面格子１，１を取り付ける場合には、以上の操作を単に二度繰り返せば済む。
【００４４】
なお、面格子１をより強固に開口部７に固定したい場合には、第２取付面１２に設けたビス止め孔１４ａ，１４ｂにもビス１３を差し込んで、額縁２１の内周面８にもビス１３をねじ込むようにすればよい。
【００４５】
また、図７に示したように、面格子１を縦方向に伸縮する向きにして取り付ける場合には、図５の場合と同様に、定められた取り付け位置に従い、一方の格子部材２ａの取付部材１０ａの第１取付面１２ａを、建物の開口部７の内側に設けられている額縁２１の内側面（建物内側面）２２に宛うと共に、一方の格子部材２ａの取付部材１０ａの第２取付面１１ａを開口部７の内周面に当たる額縁２１の内周面８に宛うようにして、少なくとも第１取付面１２ａに設けたビス止め孔１４ａにビス１３を差し込んで額縁２１にビス１３をねじ込んで、一方の格子部材２ａを額縁２１の左右いずれかの枠部材に固定する。
【００４６】
次に、図８に示したように、他方の格子部材２ｂの取付部材１０ｂを外側に移動させるようにして、額縁２１の反対側の枠部材の位置まで持っていき、他方の格子部材２ｂの取付部材１０ｂの第１取付面１２ｂを額縁２１の内側面（建物内側面）２２に宛うと共に、他方の格子部材２ｂの取付部材１０ｂの第２取付面１１ｂを開口部７の内周面に当たる額縁２１の内周面８に宛うようにして、少なくとも第１取付面１２ｂに設けたビス止め孔１４ｂにビス１３を差し込んで額縁２１にビス１３をねじ込んで、他方の格子部材２ｂを額縁２１の反対側の枠部材に固定すればよい。
【００４７】
なお、面格子１をより強固に開口部７に固定したい場合には、第２取付面１１に設けたビス止め孔１４ａ，１４ｂにもビス１３を差し込んで、額縁２１の内周面８にもビス１３をねじ込むようにすればよい。
【００４８】
この発明の実施の形態に係る面格子１は、建物の開口部７であれば、特にその取付場所が限定されることはなく、窓にも扉にも適用できるものである。したがって、上記取り付け方法で説明したとおり、窓の内側にこの発明の実施の形態に係る面格子１を固定すれば、窓に防犯用面格子を備えた窓構造が完成し、扉の内側にこの発明の実施の形態に係る面格子１を固定すれば、扉に防犯用面格子を備えた窓構造が完成し、防犯効果の高い建物を提供することができる。
【００４９】
【発明の効果】
以上のように説明したとおり、請求項１に係る発明によれば、建物の開口部に設けられる伸縮自在の面格子であって、該面格子の伸縮方向の両端部には、建物の開口部の建物内側面に固定する第１取付面と、開口部の内周面に接する第２取付面とを有する取付部材を備えているので、建物の開口部の外側から取付部材を固定しているビスを取り外すことができないため、たとえ、窃盗犯が窓ガラスや扉を壊して建物の中に侵入しようとしても、面格子自体を破壊することが困難又は破壊することに手間取ることになるから、窃盗犯が建物の中に侵入することがなく財物の盗難を未然に防止できる。また、面格子自体が伸縮自在な小型な形態であり、対向する一対の取付部材を片方ずつ建物の開口部に設けられている額縁にビス止めするだけで面格子の取り付けが可能なため、一人でも取り付けができるほどに取付作業が容易なものとなる。
【００５０】
請求項２に係る発明によれば、面格子の主たる構成部材である格子部材には、同一平面上に複数の長尺体が所定間隔を保って配置されており、長尺体の一部には面格子の伸縮時の最大長さを決定する停止部材を有するので、一度組み立てられた面格子は２個の格子部材に分離する心配がないため、運搬や取付作業での取り扱い時に分解するようなことがない。したがって、組立完成後の製品の取り扱いが容易になる。
【００５１】
請求項３に係る発明によれば、格子部材は、複数の長尺体の外側端部に設けた取付部材と、複数の長尺体の内側端部に設けた停止部材とを有する単位枠体を構成し、該単位枠体を２個使用し、一方の単位枠体の長尺体と他方の単位枠体の長尺体とが互い違いに並列配置されるようにして組み合わせて一組の面格子とし、該面格子を最大に延ばした状態で停止部材同士が当接するようにしたので、格子部材の内側端部に設けた単位枠体を構成する端部部材が停止部材を兼ねた構造となっているため、構成部材が少なくて済むから材料コストの低減が可能となる。
【００５２】
請求項４に係る発明によれば、長尺体は帯状の板材であって、停止部材には板材の横断面が挿通する挿通孔を有し、一方の単位枠体の挿通孔を他方の単位枠体の板材が進退することにより、面格子が伸縮自在となるようにしたので、長尺体自体を加工することなく停止部材のみに長尺体が挿通する挿通孔を形成する加工することで、面格子を伸縮自在の構造とすることができるため、製造コストの低減が可能となる。
【００５３】
請求項５に係る発明によれば、板材の平面部は建物の開口部の内周面と平行な向きとなるように配置されているので、建物の開口部に占める長尺体の平面形状を小さくすることで建物の内部に十分な光が取り込めるようにすると共に、格子部材の剛性を高め歪みが生じ難いものが完成できる。
【００５４】
請求項６に係る発明によれば、請求項１乃至５のいずれか一つ記載の防犯用面格子を備えた建物の窓又は扉構造としたので、防犯効果の高い建物を提供することができる。
【００５５】
請求項７に係る発明によれば、所定の間隔を保って複数本配置される長尺体と、該長尺体の外側端部に固定した建物の開口部に取り付けるための取付部材と、長尺体の内側端部に固定した停止部材とを有する格子部材を２個組み合わせて構成した伸縮自在の面格子の製造方法であって、停止部材に長尺体の横断面が挿通する挿通孔を所定間隔を保って形成する穿孔工程と、該穿孔工程により挿通孔を形成した停止部材に長尺体を所定の間隔を保って固定して櫛状体を製作する櫛状体製作工程と、櫛状体を２個使用して両者の長尺体の自由端部を向かい合わせて一方の長尺体を他方の停止部材の挿通孔に貫通させて両者を一体にする一体化工程と、該一体化工程により挿通孔を貫通した長尺体の自由端部に取付部材を固定する組み付け工程とにより、２個の格子部材が長尺体の長手方向に沿って互いに進退でき、かつ２個の格子部材が分離不能な状態で一体化するようにしたので、一度組み立てられた面格子は２個の格子部材に分離する心配がないため、運搬や取付作業での取り扱いに気を使う必要がない伸縮自在の面格子が完成できる。したがって、取り付け前は縮めておき、取り付ける際に伸ばして使用することで、運搬と取付作業とが容易なものとなる。
【図面の簡単な説明】
【図１】この発明の実施の形態に係る面格子の平面図である。
【図２】同実施の形態に係る面格子の長尺体の配置を変えた別の態様を示す平面図である。
【図３】同実施の形態に係る面格子の長尺体の構造を変えた別の態様を示す平面図である。
【図４】同実施の形態に係る面格子の組立前の状態を示した格子部材の斜視図である。
【図５】同実施の形態に係る面格子の横向きの取り付け状態を示す斜視図であって、一方の取付部材を固定した状態を示したものである。
【図６】同実施の形態に係る面格子の横向きの取り付け状態を示す斜視図であって、両方の取付部材を固定した状態を示したものである。
【図７】同実施の形態に係る面格子の縦向きの取り付け状態を示す斜視図であって、一方の取付部材を固定した状態を示したものである。
【図８】同実施の形態に係る面格子の縦向きの取り付け状態を示す斜視図であって、両方の取付部材を固定した状態を示したものである。
【符号の説明】
１  面格子
２，２ａ，２ｂ  格子部材
３ａ，３ｂ  長尺体
４，４ａ，４ｂ  内側端部（一方の端部）
５，５ａ，５ｂ  停止部材
６  平面部
７  開口部
８  内周面
９  外側端部（他方の端部）
１０ａ，１０ｂ  取付部材
１１，１１ａ，１１ｂ  第２取付面
１２，１２ａ，１２ｂ  第１取付面
１３  ビス
１４ａ，１４ｂ  ビス止め孔
１５ａ，１５ｂ  挿通孔
１８ａ，１８ｂ  櫛状体
２１  額縁
２２  内側面（建物内側面）
【図１】
2004257047.tif 000003
【図２】
2004257047.tif 000004
【図３】
2004257047.tif 000005
【図４】
2004257047.tif 000006
【図５】
2004257047.tif 000007
【図６】
2004257047.tif 000008
【図７】
2004257047.tif 000009
【図８】
2004257047.tif 000010